(57)【要約】【課題】  親機、あるいは子機に対して複数の使用者が存在する場合に、発呼側が呼び出したい使用者を指定することができるとともに、被呼側では誰に宛てた呼び出しかが認識可能で一旦着信して取り次ぐことを不要にできるコードレス電話装置を提供する。【解決手段】  親機１０および子機２０、２０ａはそれぞれ、自機および他機の使用者を示す情報をメモリ１０１、２０１、２０１ａに登録しておく。呼び出しの際に他機側の使用者を操作制御部１０６、２０５によって指定すると、指定された使用者が無線制御部１０３、２０３によって他機へ通知される。他機からの呼び出しの際には、通知された使用者をＣＰＵ１００、２００によって識別し、呼出音制御部１０７、２０６によって使用者に応じた呼出音で鳴音させる。【選択図】  図１
2005094669.tif 000002
【特許請求の範囲】
【請求項１】
親機と少なくとも１台以上の子機を備え、前記親機および前記子機がそれぞれ、自機から呼び出す他機を指定するための操作部材と、他機からの呼び出しの際に鳴動する鳴動手段とを有するコードレス電話装置であって、
前記親機および前記子機はそれぞれ、少なくとも一人以上の自機の使用者を示す情報を登録するとともに、自機から呼び出す他機の少なくとも一人以上の使用者を示す情報を登録する使用者情報登録手段と、
自機から他機を呼び出す際に他機側の使用者を指定する使用者指定手段と、
前記使用者指定手段によって指定された使用者を他機に通知する使用者通知手段と、
他機からの呼び出しの際に前記使用者通知手段によって通知された使用者を識別する使用者識別手段とを有しており、
前記使用者識別手段が識別した使用者に応じた音色で前記鳴動手段を鳴動させることを特徴とするコードレス電話装置。
【請求項２】
前記親機および前記子機はそれぞれ表示手段を有しており、
他機からの呼び出しの際に前記使用者識別手段が識別した使用者に応じた内容を前記表示手段に表示させることを特徴とする請求項１に記載のコードレス電話装置。
【請求項３】
前記鳴動手段を鳴動させる使用者に応じた音色を、選択可能とすることを特徴とする請求項１に記載のコードレス電話装置。
【請求項４】
前記親機および前記子機それぞれの前記使用者情報登録手段に同一使用者を示す情報を登録することにより、他機側の使用者を指定して自機以外のすべての他機への一斉呼び出しを可能とすることを特徴とする請求項１に記載のコードレス電話装置。
【請求項５】
前記親機および前記子機のうちの何れか１台が、前記使用者情報登録手段に登録済の使用者を示す情報を他機へ通知する登録済使用者情報通知手段を有するとともに、
前記親機および前記子機のうちの前記の１台以外が、前記登録済使用者情報通知手段から通知される使用者を示す情報に基づいて、自機の前記使用者情報登録手段に自機および他機の使用者を示す情報を登録する被通知使用者情報登録手段を有することを特徴とする請求項１に記載のコードレス電話装置。
【発明の詳細な説明】
【技術分野】
【０００１】
本発明は、コードレス電話機、コードレス電話機能を装備したファクシミリ装置などのコードレス電話装置に関し、さらに詳細には、コードレス電話機能にて、離れた場所に設置されている子機あるいは親機に対して呼び出しを掛ける制御を行うコードレス電話装置に関する。
【背景技術】
【０００２】
近年、コードレス電話が主流となり、複数の子機が使用できるコードレス電話機やファクシミリ装置が普及している。これらのコードレス電話装置には、親機と子機との間、あるいは子機と子機との間で通話を可能とした内線通話機能が搭載されている。また、外線より被呼を受けた際、あるいは外線に電話を掛けた際に、通話を親機あるいは子機へ転送する転送機能が搭載されている。
【０００３】
これらの機能を利用した従来のコードレス電話装置には、親機からの内線呼び出しに対して子機側のハンズフリー機能を作動させて自動的に内線通話応答を行い、手動による応答を省略し使用性の向上を図るようにしたものがある。さらに、このように子機側が内線呼び出しに対して常に自動応答するようにした場合の不都合を解消するために、子機が所定の状態で設置されているか及び／又は外線が通話状態にあるときに、自動的な内線通話応答を禁止する機能を設けたコードレス電話装置も開発されている（例えば、特許文献１参照。）。
【０００４】
また、外線からの電話の転送については、着信時の発信者電話番号から、親機使用者または子機使用者のいずれに掛かってきた電話であるかを識別して、該電話機の呼び出し音のみを発生させるコードレス電話機の制御方式も開発されている（例えば、特許文献２参照。）。
【０００５】
一方、構内交換機の内線加入者呼び出し方式では、複数の利用者が１台の電話機を共用している場合に利用者を特定して呼び出すことができないという問題点に対して、これを解決する内線加入者呼び出し表示方式も開発されている（例えば、特許文献３参照)。  
【０００６】
この内線加入者呼び出し表示方式は、構内交換機において、１台に対し複数のダイヤル番号を付与された内線加入者と、前記ダイヤル番号ごとに対応する内線加入者の情報をあらかじめ記憶する被呼者情報記憶手段と、前記着信回線あるいは内線加入者から受信したダイヤル番号に基づき前記被呼者情報記憶手段を検索して該当する被呼内線加入者の情報を取り出す情報取り出し手段と、この情報取り出し手段により取り出された情報を入力し前記被呼内線加入者に対する呼び出しのための表示を行う情報表示手段とを備えたことを特徴とするものである。
【特許文献１】特開平５−８３３３８号公報
【特許文献２】特開平５−２１１５４４号公報
【特許文献３】特開平４−２２５６５７号公報
【発明の開示】
【発明が解決しようとする課題】
【０００７】
しかしながら、上述の特許文献１あるいは特許文献２のような従来技術による内線呼び出し機能を搭載したコードレス電話装置において、親機、あるいは子機に対して複数の使用者が存在する場合、発呼側が呼び出したい親機、あるいは子機を指定することはできるが、呼び出したい使用者を指定することはできなかった。呼び出しを受けた被呼側は、掛かってきた内線呼び出し、あるいは転送呼び出しがどの使用者宛に掛かってきたのかを認識できず、一旦着信をした後に、発呼側が呼び出したい使用者を確認する必要があった。
【０００８】
ただし、例えば親機および子機が同じ室内に配置されていて、声が届く範囲内であれば、発呼者が電話に出て欲しい使用者の名前を大声で呼びかけながら転送呼び出しを掛けることもできるが、これはあくまでも限られた条件下でのみ可能である。また、このような使用性を改善するために、使用者１人毎に子機を１台ずつ割り当てるには、増設子機を多数購入する必要があり、そのための出費がかさんでしまう。
【０００９】
また、上述の特許文献３のような従来技術は、構内交換機の内線加入者呼び出しには適した構成であるが、親機および子機からなるコードレス電話装置に容易に適用できるものではない。
【００１０】
従来技術のこのような課題に鑑み、本発明の目的は、コードレス電話装置において、親機、あるいは子機に対して複数の使用者が存在する場合に、発呼側が呼び出したい使用者を指定することができるとともに、被呼側では誰に宛てた呼び出しかが認識可能で一旦着信して取り次ぐことを不要にできるコードレス電話装置を提供することである。
【課題を解決するための手段】
【００１１】
上記目的を達成するため、本発明のコードレス電話装置は、親機と少なくとも１台以上の子機を備え、前記親機および前記子機がそれぞれ、自機から呼び出す他機を指定するための操作部材と、他機からの呼び出しの際に鳴動する鳴動手段とを有するコードレス電話装置であって、前記親機および前記子機はそれぞれ、少なくとも一人以上の自機の使用者を示す情報を登録するとともに、自機から呼び出す他機の少なくとも一人以上の使用者を示す情報を登録する使用者情報登録手段と、自機から他機を呼び出す際に他機側の使用者を指定する使用者指定手段と、前記使用者指定手段によって指定された使用者を他機に通知する使用者通知手段と、他機からの呼び出しの際に前記使用者通知手段によって通知された使用者を識別する使用者識別手段とを有しており、前記使用者識別手段が識別した使用者に応じた音色で前記鳴動手段を鳴動させることを特徴とする。
【００１２】
ここで、操作部材としては、例えばダイヤルボタンや内線ボタンなどが挙げられる。通知手段による他機への通知方法としては、例えば無線による方法が挙げられる。
【００１３】
この発明のコードレス電話装置によれば、親機、あるいは子機に対して複数の使用者が存在する場合に、発呼側が呼び出したい使用者を指定することができるとともに、被呼側では誰に宛てた呼び出しかが認識可能で、一旦着信して取り次ぐことを不要にできる。
【００１４】
また、本発明のコードレス電話装置において、前記親機および前記子機はそれぞれさらに表示手段を有しており、他機からの呼び出しの際に前記使用者識別手段が識別した使用者に応じた内容を前記表示手段に表示させることを特徴としてもよい。
【００１５】
ここで、表示手段としては、例えばＬＣＤ画面などが挙げられる。このＬＣＤ画面に、前記使用者識別手段が識別した使用者の名前などを表示してもよい。
【００１６】
この発明のコードレス電話装置によれば、表示手段による使用者に応じた表示が加わることで、視覚によっても誰に宛てた呼び出しかが認識可能となり、より容易かつ正確な認識ができるようになる。
【００１７】
また、本発明のコードレス電話装置において、前記鳴動手段を鳴動させる使用者に応じた音色を、選択可能とすることを特徴としてもよい。
【００１８】
ここで、使用者に応じた音色としては、予め用意された複数のものの中から選択することができるようにしてもよい。その際は、親機および各子機それぞれの使用者の数やそれぞれの配置状況を考慮して、識別が容易な音色を選択することが望ましい。
【００１９】
この発明のコードレス電話装置によれば、使用者が多数存在する場合や、近くに他の親機あるいは子機が存在する場合でも、識別の間違いを防止する効果がある。
【００２０】
また、本発明のコードレス電話装置において、前記親機および前記子機それぞれの前記使用者情報登録手段に同一使用者を示す情報を登録することにより、他機側の使用者を指定して自機以外のすべての他機への一斉呼び出しを可能とすることを特徴としてもよい。
【００２１】
この発明のコードレス電話装置によれば、使用者の居場所が不定の場合でも、自機以外のすべてに他機に対して使用者を指定した一斉呼び出しが可能となるので、呼び出された使用者は最寄りの他機にて応答することができる。
【００２２】
また、本発明のコードレス電話装置において、前記親機および前記子機のなかの何れか１台が、前記使用者情報登録手段に登録済の使用者を示す情報を他機へ通知する登録済使用者情報通知手段を有するとともに、前記親機および前記子機のなかの前記の１台以外が、前記登録済使用者情報通知手段から通知される使用者を示す情報に基づいて、自機の前記使用者情報登録手段に自機および他機の使用者を示す情報を登録する被通知使用者情報登録手段を有することを特徴としてもよい。
【００２３】
この発明のコードレス電話装置によれば、使用者が多数存在する場合など、親機および各子機に対して使用者を示す情報を個別に登録するための面倒な操作を回避して、使用者を示す情報登録の作業性を改善することができる。。
【発明の効果】
【００２４】
本発明のコードレス電話装置によれば、親機あるいは子機に複数の使用者が存在する場合に、親機および子機に使用者を示すデータを予め登録することで、内線呼び出し、あるいは、転送時に呼び出したい使用者を指定することができるとともに、被呼側では誰に宛てた呼び出しかが認識可能で、一旦着信して取り次ぐことを不要にできる。
【発明を実施するための最良の形態】
【００２５】
以下、本発明の実施の形態を、図面を参照して説明する。ここでは、本発明をコードレス電話装置に適用しているが、これに限るものではなく、無線にて通話が可能である通信装置、情報処理装置などに適用が可能である。
【００２６】
図１は、本発明の一実施形態に係るコードレス電話装置１全体の原理構成を示す概略図である。ここでは、コードレス電話装置１は親機１０および２台の子機（子機２０，子機２０ａ）を備えているが、子機の台数は２台に限るものではない。また、図１では構成の一部を省略しているが、親機１０および子機２０についての詳細は図２および図３を参照して後述する。
【００２７】
図１に示すように、親機１０は、ＣＰＵ１００と、メモリ１０１と、無線制御部１０３と、操作制御部１０６と、呼出音制御部１０７と、アンテナ１１１とを備えており、さらに、電話回線網１０９と接続されている。子機２０は、ＣＰＵ２００と、メモリ２０１と、無線制御部２０３と、操作制御部２０５と、呼出音制御部２０６とを備えている。子機２０ａは子機２０と同様の構成であるが、メモリ２０１ａに記憶されている内容は、子機２０のメモリ２００に記憶されている内容とは部分的に異なっている。また、これらの親機１０、子機２０および子機２０ａ相互間で、それぞれのアンテナ１１１およびアンテナ２１０を介して無線による音声やデータの送受信が行われる。
【００２８】
親機１０のメモリ１０１には予め、自機（親機１０）の使用者を示すデータ、および他機（子機２０、２０ａ）の使用者を示すデータを登録しておく。それぞれ登録するデータとしては、使用者名と使用者毎に異なる呼出音の組合せである。例えば、自機を使用する者が使用者Ａおよび使用者Ｅであれば、この２人に対する使用者名と呼出音の組合せを自機使用者リストとして登録しておく。また、子機２０にも同様に、自機（子機２０）の使用者を示すデータ、および他機（親機１０、子機２０ａ）の使用者を示すデータを登録しておく。子機２０ａにも同様に、自機（子機２０ａ）の使用者を示すデータ、および他機（親機１０、子機２０）の使用者を示すデータを登録しておく。なお、呼出音としては、予め用意された複数のものの中から選択することができるようにしてもよい。その際は、親機１０および子機２０、２０ａそれぞれの使用者の数やそれぞれの配置状況を考慮して、識別が容易な呼出音を選択することが望ましい。
【００２９】
例えば、親機１０より子機２０の使用者Ｂへの内線呼出を行う際には、親機１０の操作制御部１０６より使用者Ｂの指定操作を行って内線呼出を実行する。すると、親機１０のＣＰＵ１００は、子機２０を示す内線呼出コードと使用者Ｂを示すデータとを無線制御部１０３より無線データにて出力する。
【００３０】
無線データを受信した子機２０のＣＰＵ２００は、自機（子機２０）を示す内線呼出コードを認識する。さらに、受信した使用者Ｂを示すデータが、メモリ２０１に記憶されている自機の使用者の１人である使用者Ｂであることを認識して、この使用者Ｂに対応している呼出音Ｂを呼出音制御部２０６から出力する。
【００３１】
このような構成によれば、内線呼出を行う際に、呼び出したい相手を指定することができる。また、呼び出された側は、呼出音によってどの使用者宛の呼び出しかが容易に認識できるので、一旦着信して取り次ぐことを不要にできる
図２は、本発明の一実施形態に係るコードレス電話装置１の親機１０のブロック図である。また、図３は、本発明の一実施形態に係るコードレス電話装置１の子機２０のブロック図である。
【００３２】
図２に示すように、コードレス電話装置１の親機１０は、ＣＰＵ１００と、メモリ１０１と、表示制御部１０２と、無線制御部１０３と、音声制御部１０４と、回線制御部１０５と、操作制御部１０６と、呼出音制御部１０７とを備えており、これらは相互に接続されている。さらに、表示制御部１０２は不図示のＬＣＤ画面を有している。無線制御部１０３にはアンテナ１１１が接続されており、電波信号の送受信が行われる。音声制御部１０４にはハンドセット１１０が接続されており、使用者の音声が入力されるとともに、相手の音声が出力される。操作制御部１０６は、不図示のダイヤルボタンや内線ボタンなどを有している。呼出音制御部１０７にはスピーカ１０８が接続されており、呼出音が出力される。また、回線制御部１０５は電話回線網１０９と接続されている。
【００３３】
親機１０のＣＰＵ１００は、電話回線網１０９より到来する呼出信号を回線制御部１０５にて検出し、呼出音制御部１０７にて呼出音をスピーカ１０８より出力する。通話を行うには、ハンドセット１１０を上げると、ＣＰＵ１００は回線制御部１０５にて電話回線網１０９と音声制御部１０４とを接続し、相手との通話が可能となる。
【００３４】
コードレス電話装置１の親機１０において、操作制御部１０６より自動ダイヤル操作を行うと、ＣＰＵ１００は、その自動ダイヤル操作によって指定された相手先電話番号を、予めメモリ１０１に記憶されているデータの中から検索する。そして、自動ダイヤル操作で指定された相手先の名前および電話番号を表示制御部１０２が有するＬＣＤ画面に表示するとともに、その電話番号に応じたダイヤル信号を回線制御部１０５から電話回線網１０９に出力し、ダイヤル発呼動作を行う。
【００３５】
図３に示すように、コードレス電話装置１の子機２０は、ＣＰＵ２００と、メモリ２０１と、表示制御部２０２と、無線制御部２０３と、音声制御部２０４と、操作制御部２０５と、呼出音制御部２０６とを備えており、これらは相互に接続されている。さらに、表示制御部２０２は不図示のＬＣＤ画面を有している。無線制御部２０３にはアンテナ２１０が接続されており、電波信号の送受信が行われる。音声制御部２０４にはマイク２０８および受話２０９が接続されており、マイク２０８から使用者の音声が入力されるとともに、受話２０９から相手の音声が出力される。操作制御部２０５は、不図示のダイヤルボタンや内線ボタンなどを有している。呼出音制御部２０６にはスピーカ２０７が接続されており、呼出音が出力される。
【００３６】
コードレス電話装置１の子機２０において、操作制御部２０５より自動ダイヤル操作を行うと、ＣＰＵ２００は、親機１０（図２参照）と同様、その自動ダイヤル操作によって指定された相手先電話番号を、予めメモリ２０１に記憶されているデータの中から検索する。そして、自動ダイヤル操作で指定された相手先の名前および電話番号を表示制御部２０２が有するＬＣＤ画面に表示するとともに、ダイヤル動作を示すデータと前記検索した電話番号データとを無線制御部２０３にて電波信号に変換して、アンテナ２１０より親機１０に対して出力する。
【００３７】
親機１０のＣＰＵ１００は、子機２０が出力した電波信号をアンテナ１１１にて受信し、無線制御部１０３にて電波信号をデジタル信号に変換し、ダイヤル動作を示すデータと電話番号データとを認識する。ＣＰＵ１００は、ダイヤル動作を示すデータを識別すると、回線制御部１０５にて、受信した電話番号データに応じたダイヤル信号を電話回線網１０９に出力し、ダイヤル発呼動作を行う。
【００３８】
さらに、相手と電話回線網１０９とが接続されて通話状態になると、相手の音声信号は回線制御部１０５を経由し、無線制御部１０３にて電波信号に変換されてアンテナ１１１より出力され、子機２０（図３参照）のアンテナ２１０にて受信される。子機２０のＣＰＵ２００は、受信した電波信号を無線制御部２０３にてアナログ信号に変換し、音声制御部２０４より受話２０９へ出力し、相手の音声を聞くことを可能としている。
【００３９】
また、マイク２０８より入力される音声は、音声制御部２０４を経由して無線制御部２０３にて電波信号に変換され、アンテナ２１０より親機に対して出力されて、親機１０のアンテナ１１１にて受信される。親機１０のＣＰＵ１００は、受信した電波信号をアナログ信号に変換し、回線制御部１０５を経由して電話回線網１０９へ音声信号を出力する。
【００４０】
このようにして子機２０が電話回線網１０９を経由して相手と通話する方式は公知の技術である。
【００４１】
図４は、本発明の一実施形態に係るコードレス電話装置１において、親機１０から子機２０への内線使用者指定呼び出しの際の、親機１０側のフローチャートである。
【００４２】
親機側における内線使用者指定呼び出しの操作は、例えば次のようになる。
【００４３】
（１）内線ボタン押下
（２）子機２０を指定するための操作“１”をダイヤルボタンにて押下
（３）使用者を指定する操作として、ダイヤルボタンの“＊”を押下
（４）使用者を示す番号をダイヤルボタンにて押下する。
【００４４】
使用者を示す番号は、１桁あるいは２桁と固定化することで、親機１０（図２参照）のＣＰＵ１００は、ステップＳ３００において内線通話操作か否かを判断することが可能になる。内線通話であればステップＳ３０１に進み、そうでなければリターンする。
【００４５】
ステップＳ３０１では子機２０（図３参照）に対する呼び出し操作なのか否かを判断し、そうであればステップＳ３０５に進み、そうでなければステップＳ３０２に進む。ステップＳ３０２では子機２０ａに対する呼び出し操作なのか否かを判断し、そうであればステップＳ３０３に進み、そうでなければステップＳ３０９に進む。
【００４６】
ステップＳ３０１で子機２０に対する呼び出し操作と判断された場合、ステップＳ３０５では、使用者指定操作なのか否かを判断する。使用者指定操作の場合は、ステップＳ３０６に進んで子機２０に対する内線呼出コマンドと使用者を示すデータとを送信した後にリターンし、使用者指定操作でない場合は、ステップＳ３０８に進んで子機２０に対する内線呼出コマンドのみを送信した後にリターンする。
【００４７】
また、ステップＳ３０２において子機２０ａへの呼び出しと判断された場合についても同様で、ステップＳ３０３では、使用者指定操作か否かを判断する。使用者指定操作の場合は、ステップＳ３０４に進んで子機２０ａに対する内線呼出コマンドと使用者を示すデータとを送信した後にリターンし、使用者指定操作でない場合には、ステップＳ３０７に進んで子機２０ａに対する内線呼出コマンドのみを送信した後にリターンする。
【００４８】
さらに、ステップＳ３０１およびステップＳ３０２において何れの子機にも該当しないと判断した場合には、ステップＳ３０９に進んで一斉呼び出しなのか否かを判断する。一斉呼び出しの場合は、ステップＳ３１０に進んで一斉内線呼び出しのコマンドを全子機に対して送信した後にリターンし、一斉呼び出しではない場合はそのままリターンする。
【００４９】
図５は、本発明の一実施形態に係るコードレス電話装置１において、親機１０から子機２０への内線使用者指定呼び出しの際の、子機２０側のフローチャートである。
【００５０】
子機２０（図３参照）側のＣＰＵ２００は、前記の親機１０（図２参照）側よりコマンドを受信すると、ステップＳ４００において内線呼び出しのコマンドなのか否かを判断する。内線呼び出しと判断すると、ステップＳ４０１に進み、そうでなければリターンする。
【００５１】
ステップＳ４０１では、一斉呼び出しのコマンドなのか否かを判断し、一斉呼び出しコマンドの場合は、ステップＳ４０８に進んで通常の内線呼出用の呼出音を鳴音させた後にリターンし、一斉呼び出しコマンドでない場合は、ステップＳ４０２に進む。
【００５２】
ステップＳ４０２では、ＣＰＵ２００は受信した内線呼出コマンドが自機（子機２０）に対する内線呼び出しなのか否かを判断する。自機に対する呼び出しと判断すると、ステップＳ４０３に進み、そうでなければリターンする。
【００５３】
ステップＳ４０３では、使用者を指定するデータが付加されているのか否かを認識し、使用者を示すデータが付加されている場合にはステップＳ４０４へ進み、そうでなければ、ステップＳ４０８に進んで通常の内線呼出用の呼出音を鳴音させた後にリターンする。
【００５４】
ステップＳ４０４、ステップＳ４０５およびステップＳ４０６では、予め登録されている使用者を示すデータとの照合を行い、照合結果に応じて判断する。すなわち、ステップＳ４０４において使用者Ａ−１と一致した場合、ステップＳ４１０に進んで使用者Ａ−１を示す名前等をＬＣＤ画面上に表示するとともに、使用者Ａ−１に該当する呼出音にて呼び出しを実行した後にリターンする。また、ステップＳ４０５あるいはステップＳ４０６にて使用者を示すデータが使用者Ｂあるいは使用者Ｄに一致した場合、それぞれステップＳ４０９あるいはステップＳ４０７にて前記同様、それぞれの使用者を示す名前等をＬＣＤ画面上に表示するとともに、使用者に該当する呼出音にて呼び出しを実行した後にリターンする。
【００５５】
いずれの使用者とも一致しなかった場合は、ステップＳ４１１に進んで通常の内線呼出用の呼出音を鳴音させた後にリターンする。
【００５６】
図６は、本発明の一実施形態に係るコードレス電話装置１において、自機および他機の使用者情報登録の際に、登録データを無線にて送信するデータフォーマットの一例である。
【００５７】
図１を参照して説明したコードレス電話装置１全体の原理構成を示す概略図でもわかるように、親機１０のメモリ１０１および各子機２０、２０ａのそれぞれのメモリ２０１、２０１ａに予め登録される使用者データの内容は一部を除いてほとんど同じである。そこで、親機１０および各子機２０、２０ａのそれぞれで個別に使用者データを登録しなくても、いずれか一ヶ所、例えば親機１０で登録を行い、登録したその使用者データの内容を無線データに変換して各子機２０、２０ａへ送信するようにすれば、一括登録が可能になる。
【００５８】
具体的には、例えば親機１０での登録操作において、親機１０の使用者名とそれぞれの使用者に該当する呼出音を登録する。この際に、該当する使用者が存在しない場合は「無し」と登録してもよい。続いて、同様手順にて子機２０に対する登録を行い、さらに同様手順にて子機２０ａに対する登録を行う。これらの登録がすべて完了した時点で、親機１０のＣＰＵ１００は、図６に示すデータフォーマットに従ったデータを作成し、作成したデータを無線制御部１０３にて無線データに変換し、変換した無線データをアンテナ１１１より各子機２０、２０ａに対して送信する。
【００５９】
子機２０のＣＰＵ２００は、前記無線データを受信すると無線制御部２０３にてデータを変換し、図６に示したデータフォーマットのデータを認識してメモリ２０１へ記憶する。この際に、子機２０は自機が図６のデータフォーマット上の何れの部分に該当するのかを判断することで、図１に示した自機使用者リストの構成が実現できる。
【００６０】
なお、本発明は、その精神または主要な特徴から逸脱することなく、他の様々な形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【図面の簡単な説明】
【００６１】
【図１】本発明の一実施形態に係るコードレス電話装置全体の原理構成を示す概略図である。
【図２】本発明の一実施形態に係るコードレス電話装置の親機のブロック図である。
【図３】本発明の一実施形態に係るコードレス電話装置の子機のブロック図である。
【図４】本発明の一実施形態に係るコードレス電話装置において、親機から子機への内線使用者指定呼び出しの際の、親機側のフローチャートである。
【図５】本発明の一実施形態に係るコードレス電話装置において、親機から子機への内線使用者指定呼び出しの際の、子機側のフローチャートである。
【図６】本発明の一実施形態に係るコードレス電話装置において、自機および他機の使用者情報登録の際に、登録データを無線にて送信するデータフォーマットの一例である。
【符号の説明】
【００６２】
１        コードレス電話装置
１０      親機
１００    ＣＰＵ
１０１    メモリ
１０２    表示制御部
１０３    無線制御部
１０４    音声制御部
１０５    回線制御部
１０６    操作制御部
１０７    呼出音制御部
１０８    スピーカ
１０９    電話回線網
１１０    ハンドセット
１１１    アンテナ
２０      子機
２０ａ    子機
２００    ＣＰＵ
２０１    メモリ
２０１ａ  メモリ
２０２    表示制御部
２０３    無線制御部
２０４    音声制御部
２０５    操作制御部
２０６    呼出音制御部
２０７    スピーカ
２０８    マイク
２０９    受話
２１０    アンテナ                   
【図１】
2005094669.tif 000003
【図２】
2005094669.tif 000004
【図３】
2005094669.tif 000005
【図４】
2005094669.tif 000006
【図５】
2005094669.tif 000007
【図６】
2005094669.tif 000008